(57)【要約】 【課題】段ボール包装材を縦方向に積層しても従来より胴膨れ現象が起こり難い段ボール包装材及びその製造方法を提供する。 【解決手段】段ボールシートからなる函状の段ボール包装材の函断面形状のうち向かい合う少なくとも一組以上のコーナー部のそれぞれに、荷重時の胴膨れを抑止する胴膨れ抑止構造を有し、各コーナー部の胴膨れ抑止構造は、段ボールシートの一面側に、中芯（１１）の段目と交差する三本の押罫（第一押罫６１，第二押罫６２，第一押罫６１）が並走形成され、これによって他面側の各対応位置に三本の山折れ部（第一山折れ部７１，第二山折れ部７２）が膨出形成されると共に、段ボールシートの他面側に、前記三本の押罫（６１，６２）の間に二本の押罫（第三押罫６３）が並走形成され、これによって一面側の各対応位置に二本の山折れ部（第三山折れ部７３）が膨出形成される。【選択図】図１
2015040075.tif 000002
【特許請求の範囲】
【請求項１】
段ボールシートからなる函状の段ボール包装材の函断面形状のうち向かい合う少なくとも一組以上のコーナー部のそれぞれに、荷重時の胴膨れを抑止する胴膨れ抑止構造を有した段ボール包装材であって、
各コーナー部の胴膨れ抑止構造は、
段ボールシートの一面側に、中芯の段目と交差する三本の押罫が並走形成され、これによって他面側の各対応位置に三本の山折れ部が膨出形成されると共に、
段ボールシートの他面側に、前記三本の押罫の間に二本の押罫が並走形成され、これによって一面側の各対応位置に二本の山折れ部が膨出形成されることを特徴とする段ボール包装材。
【請求項２】
前記一面側を函内面として内屈曲させ、前記他面側を函外面として外屈曲させたコーナー部を有する段ボール包装材であって、
前記一面側の三本の押罫のうち中央の第二押罫、及び第二押罫によって他面側に膨出形成された第二山折れ部の構成材は、複数回の罫押しによって段ボールシートの平坦部よりも薄く圧縮成形されてなる請求項１記載の段ボール包装材。
【請求項３】
複数のコーナー部を介して周状に連なった天板、側板、及び底板を有し、かつ両周端が開放したスリーブ構造からなる段ボール包装材であって、
前記複数のコーナー部のうち天板と側板との境界に位置するコーナー部、及び、底板と側板との境界に位置するコーナー部にそれぞれ、前記胴膨れ抑止構造を有する請求項１又は２のいずれか記載の段ボール包装材。
【請求項４】
中央凸部が凸状形成された罫線手段と、前記中央凸部に対応する中央凹部が凹状形成された凹受け手段と、を組み合わせた第一の押罫形成手段によって平坦な段ボールシートを挟み込むことで、
段ボールシートの一面側に、段目に交差する中央の初期押罫及びその両側の２本の第一山折れ部を形成すると共に、
この段ボールシートの他面側に、初期押罫及び２本の第一山折れ部にそれぞれ対応する、初期山折れ部及び２本の第一押罫を形成する第一工程と、
前記初期山折れ部に対向接触する中央凸部が凸状形成された罫線手段と、前記罫線手段に対応する平坦部が形成された平受け手段と、を組み合わせた第二の押罫形成手段によって、前記第一工程後の段ボールシートを挟み込むことで、
罫線手段の中央凸部によって前記初期山折れ部を窪ませて左右に２分割し、
第一工程後の段ボールシートの他面側のうち２本の第一押罫の間に、中央の第二押罫及びその両側部の第三山折れ部を形成すると共に、
段ボールシートの一面側のうち２本の第一山折れ部の間に、前記第二押罫及び第三山折れ部にそれぞれ対応する、中央の第二山折れ部及びその両側部の第三押罫を形成する第二工程と、
を順に具備する、請求項１、２又は３のいずれか記載の段ボール包装材の製造方法。
【請求項５】
中央凸部が凸状形成された罫線手段と、前記中央凸部に対応する中央凹部が凹状形成された凹受け手段と、を組み合わせた第一の押罫形成手段によって平坦な段ボールシートを挟み込むことで、
段ボールシートの他面側に、中央の初期押罫、及びその両側の２本の第一山折れ部を形成すると共に、
段ボールシートの一面側に、前記初期押罫及び第一山折れ部にそれぞれ対応する、中央の初期山折れ部及び２本の第一押罫を形成する第一工程と、
中央凸部が凸状形成された罫線手段と、前記中央凸部に対応する中央凹部が凹状形成された凹受け手段とを組み合わせた第二の押罫形成手段であって、この凹受け手段の中央凹部のうち一側方の凹部側片を、前記第一の押罫形成手段の凹受け手段の中央凹部のうち他側方の凹部側片と重畳する位置に重畳配置させた第二の押罫形成手段によって、前記第一工程後の段ボールシートを挟み込み、且つ一側方の第一押罫を同位置で二重に罫押しすることで、
段ボールシートの他面側であって片側の第一山折れ部よりも外側方へ、第二押罫、及びさらにその外側方の１本の外部第二山折れ部を形成すると共に、
段ボールシートの一面側であって前記片側の第一山折れ部よりも外側方へ、第二押罫及び外部第二山折れ部にそれぞれ対応する、第二山折れ部及び更にその外側方の１本の外部第二押罫を形成する第二工程と、
を順に具備する、請求項１、２又は３のいずれか記載の段ボール包装材の製造方法。
【発明の詳細な説明】
【技術分野】
【０００１】
この発明は、複数段積み重ねても胴膨れし難い段ボール包装材及びその製造方法に関するものである。 
【背景技術】
【０００２】
従来、段ボールシートの表面に中芯の段目に交差して罫線加工を施す段ボールシートの罫線形成装置に関する提案があった（特許文献１）。 
すなわち、一般的な段ボールシート用製函機は、一対のライナの間に波形形状をなす中芯が糊付けされた段ボールシートを加工することで函状の段ボール包装材を製造するものであり、給紙部と印刷部とスロッタクリーザ部とフォルディング部とカウンタエゼクタ部から構成されている。
【０００３】
このうちスロッタクリーザ部は、段ボールシートに対して、罫線ロールにより罫入加工を施すとともに、罫入加工が施された段ボールシートに対して、スロッタナイフにより溝切加工を施すものである。
【０００４】
このスロッタクリーザ部は、フォルディング部で段ボールシートを折り畳むために必要な罫線を形成するものであり、段ボールシートに罫線を形成する罫線ロールと、この罫線ロールに対向する受ロールを有している。罫線ロールは、外周部に罫線中心位置に対応する突起部が周方向に沿って形成されるとともに、この突起部の両側に押圧部が周方向に沿って形成されている。したがって、搬送される段ボールシートに対して、罫線ロールと受ロールが挟持することで、罫線ロールの突起部により中芯の段目に交差して罫線が形成されるとともに、押圧部によりこの罫線の両側に凹部が形成される。そのため、フォルディング部では、段ボールシートを凹部により罫線に沿って適正に折り畳むことができる。
【０００５】
ところで、高品質な函状の段ボール包装材を製造するためには、段ボールシートを所定の位置で適正に折り畳む必要があり、そのためには、罫線を正確な位置に強く確実に形成する必要がある。
【０００６】
この従来提案は、段ボールシートに罫線を形成する際の割れを抑制し、また、折り畳み精度の低下を抑制できる段ボールシートの罫線形成装置を提供することを目的として、第１のロールと、前記第１のロールと対向して配置される第２のロールとを備えるとともに、前記第１のロールの外周部と、前記第２のロールの外周部との間に段ボールシートを挟持して、前記段ボールシートに罫線を形成する一対の罫線形成用ロールを備える段ボールシートの罫線形成装置において、前記第１のロールの外周部に設けられ、かつ前記第１のロールの周方向に向かって延在する突起部と、前記第２のロールの外周部に設けられ、かつ前記第２のロールの周方向に向かって延在して前記突起部と対向する突起対向部と、前記第２のロールの外周部、かつ少なくとも前記第２のロールの幅方向における前記突起対向部の両側に配置され、前記第２のロールの周方向に向かって延在する、突起対向部よりも硬度が高い突起対向部支持部と、を含む。
【０００７】
このような構成により、段ボールシートに罫線を形成する際には、突起部の押圧によって突起対向部が変形して逃げ、また、突起対向部支持部も突起対向部ほどではないが変形して逃げるので、段ボールシートのライナーの変形が抑制される。また、突起対向部の両側に配置される突起対向部支持部は、突起対向部よりも硬度が高いので、突起部が突起対向部を強く押圧しても、この押圧に起因する変形量、すなわち逃げ量は突起対向部と比較して少ない。これによって、第１のロールと第２のロールとによって、段ボールシートに強く罫線を形成することができる。その結果、罫線が形成された段ボールシートの折れ精度が向上する、というものである。
【０００８】
しかし、この従来提案をもってしても、段ボール包装材を縦方向に積層するといわゆる胴膨れ現象が起こる場合があるという問題があった。前記胴膨れとは、段ボール包装材を複数段積み重ねると、側面板の中央部が上方からの荷重により恰もビール樽のように外方に向けて張り出してしまう現象をいう。
【先行技術文献】
【特許文献】
【０００９】
【特許文献１】特開２００９−０６１６０３号公報
【発明の概要】
【発明が解決しようとする課題】
【００１０】
そこでこの発明は、段ボール包装材を縦方向に積層しても従来より胴膨れ現象が起こり難い段ボール包装材及びその製造方法を提供しようとするものである。 
【課題を解決するための手段】
【００１１】
前記課題を解決するためこの発明では次のような技術的手段を講じている。 
（１）この発明の段ボール包装材は、
段ボールシートからなる函状の段ボール包装材の函断面形状のうち向かい合う少なくとも一組以上のコーナー部のそれぞれに、荷重時の胴膨れを抑止する胴膨れ抑止構造を有した段ボール包装材であって、
各コーナー部の胴膨れ抑止構造は、
段ボールシートの一面側に、中芯（１１）の段目と交差する三本の押罫（第一押罫６１，第二押罫６２，第一押罫６１）が並走形成され、これによって他面側の各対応位置に三本の山折れ部（第一山折れ部７１，第二山折れ部７２）が膨出形成されると共に、
段ボールシートの他面側に、前記三本の押罫（６１，６２）の間に二本の押罫（第三押罫６３）が並走形成され、これによって一面側の各対応位置に二本の山折れ部（第三山折れ部７３）が膨出形成されることを特徴とする。
【００１２】
（２）また前記本発明の段ボール包装材において、
前記一面側を函内面として内屈曲させ、前記他面側を函外面として外屈曲させたコーナー部を有して包装材として使用される段ボール包装材であって、
前記一面側の三本の押罫（第一押罫６１，第二押罫６２，第一押罫６１）のうち中央の第二押罫（６２）、及び第二押罫（６２）によって他面側に膨出形成された第二山折れ部（７２）の構成材は、複数回の罫押しによって段ボールシートの平坦部よりも薄く（第二シート厚さＴ２に）圧縮成形されてなることが好ましい。
【００１３】
（３）また前記いずれかの段ボール包装材において、
複数のコーナー部を介して周状に連なった天板（１）、側板（２，２）、及び底板（３）を有し、かつ両周端が開放したスリーブ構造からなる段ボール包装材であって、
前記複数のコーナー部のうち天板（１）と側板（２，２）との境界に位置するコーナー部、及び、底板（３）と側板（２，２）との境界に位置するコーナー部にそれぞれ、前記胴膨れ抑止構造を有することが好ましい。
【００１４】
（４）また前記いずれかの段ボール包装材の製造方法として、
・鍔状の中央凸部（２０）が凸状形成された罫線手段（１８）と、前記中央凸部（２０）に対応する中央凹部（２２）が凹状形成された凹受け手段（１９）と、を組み合わせた第一の押罫形成手段によって平坦な段ボールシートを挟み込むことで、
段ボールシートの一面側に、段目に交差する中央の初期押罫（６０）及びその両側の２本の第一山折れ部（７１，７１）を形成すると共に、
この段ボールシートの他面側に、初期押罫（６０）及び２本の第一山折れ部（７１，７１）にそれぞれ対応する初期山折れ部（７０）及び２本の第一押罫（６１，６１）を形成する第一工程と、
・前記初期山折れ部（７０）に対向接触する鍔状の中央凸部（２０）が凸状形成された罫線手段（１８）と、前記罫線手段（１８）に対応する平坦部が形成された平受け手段（２３）と、を組み合わせた第二の押罫形成手段によって、前記第一工程後の段ボールシート（Ｓ１）を挟み込むことで、
罫線手段（１８）の中央凸部（２０）によって前記初期山折れ部（７０）を窪ませて左右に２分割し、
第一工程後の段ボールシート（Ｓ１）の他面側のうち２本の第一押罫（６１，６１）の間に、中央の第二押罫（６２）及びその両側部の第三山折れ部（７３，７３）を形成すると共に、
段ボールシートの一面側のうち２本の第一山折れ部（７１）の間に、前記第二押罫（６２）及び第三山折れ部（７３）にそれぞれ対応する、中央の第二山折れ部（７２）及びその両側部の第三押罫（６３，６３）を形成する第二工程と、
を順に具備することが好ましい。
【００１５】
（５）或いは、前記いずれかの段ボール包装材の製造方法として、
・鍔状の中央凸部（２０）が凸状形成された罫線手段（１８）と、前記中央凸部（２０）に対応する中央凹部（２２）が凹状形成された凹受け手段（１９）と、を組み合わせた第一の押罫形成手段によって平坦な段ボールシートを挟み込むことで、
段ボールシートの他面側に、中央の初期押罫（６０）、及びその両側の２本の第一山折れ部（７１，７１）を形成すると共に、
段ボールシートの一面側に、前記初期押罫（６０）及び第一山折れ部（７１，７１）にそれぞれ対応する、中央の初期山折れ部（７０）及び２本の第一押罫（６１，６１）を形成する第一工程と、
・鍔状の中央凸部（２０）が凸状形成された罫線手段（１８）と、前記中央凸部（２０）に対応する中央凹部（２２）が凹状形成された凹受け手段（１９）とを組み合わせた第二の押罫形成手段であって、この凹受け手段（１９）の中央凹部（２２）のうち一側方の片側片を構成する凹部側片（２２２Ｓ）を、前記第一の押罫形成手段の凹受け手段（１９）の中央凹部（２２）のうち他側方の片側片を構成する凹部側片（２２１Ｓ）と重畳する位置に重畳配置させた第二の押罫形成手段によって、前記第一工程後の段ボールシート（Ｓ１）を挟み込み、且つ一側方の第一押罫（６１）を同位置で二重に罫押しすることで、
段ボールシートの他面側であって片側（前記他側方側）の第一山折れ部（７１）よりも外側方へ、第二押罫（６２）、及びさらにその外側方の１本の外部第二山折れ部（７０２）を形成すると共に、
段ボールシートの一面側であって前記片側（他側方側）の第一山折れ部（７１）の外側方へ、第二押罫（６２）及び外部第二山折れ部（７０２）にそれぞれ対応する、第二山折れ部（７２）及び更にその外側方の１本の外部第二押罫（６０２）を形成する第二工程と、
を順に具備するものとしてもよい。
【発明の効果】
【００１６】
この発明は上述のような構成であり、新たな押罫線も水平方向に変位して段ボール包装材の側板自体の変形を吸収することが出来るので、段ボール包装材を縦方向に積層しても従来より胴膨れ現象が起こり難い段ボール包装材及びその製造方法を提供することが出来る。 
【図面の簡単な説明】
【００１７】
【図１】実施例１の斜視外観図と要部拡大図
【図２】実施例１の製造方法における各工程（ａ）（ｂ）の断面視説明図
【図３】実施例１の第一工程中の状態を示す正面視説明図
【図４ａ】第一工程後の第一段ボールシートＳ１を他面側から見た正面図
【図４ｂ】図７ａの第一工程後の第一段ボールシートＳ１の側面図
【図４ｃ】図７ａの第一工程後の第一段ボールシートＳ１を一面側から見た背面図
【図４ｄ】図７ａの第一工程後の第一段ボールシートＳ１の平面図
【図５】実施例１の第二工程中の状態を示す正面視説明図
【図６ａ】第二工程後の第一段ボールシートＳ２を他面側から見た正面図
【図６ｂ】図６ａの第一工程後の第一段ボールシートＳ２の側面図
【図６ｃ】図６ａの第一工程後の第一段ボールシートＳ２を一面側から見た背面図
【図６ｄ】図６ａの第一工程後の第一段ボールシートＳ２の平面図
【図７】実施例２の製造方法における各工程（ａ）（ｂ）の断面視説明図
【図８】実施例３の製造方法における各工程の状態を示す平面視説明図
【図９】実施例３の製造方法における各工程（ａ）（ｂ）の断面視説明図
【図１０】実施例４の斜視外観図と要部拡大図
【図１１】実施例５の段ボール包装材の展開状態の平面図（ａ）と正面図（ｂ）
【発明を実施するための形態】
【００１８】
以下、この発明の実施の形態を、実施例として示す各図を参照して説明する。 図１〜図６は実施例１の外観図ないし各製造工程の説明図であり、図７は実施例２の各製造工程の説明図であり、図８〜図９は実施例３の各製造工程の説明図であり、図１０は実施例４の外観図であり、そして図１１は実施例５の展開状態図である。
【００１９】
いずれの実施例においても、本発明の段ボール包装材は、段ボールシートからなる函状の段ボール包装材において、所定の函断面形状のコーナー部のそれぞれが、中芯の段目と交差する方向に連なってコーナー辺を形成する。例えば後述の実施例１〜４では、複数のコーナー部を介して正面視四角形断面の横型周状に連なった天板１、側板２，２、及び底板３を有し、かつ両周端が両側方に開放したスリーブ構造からなる函状体としている。このスリーブ構造は奥行き方向に伸長する筒状体であり、筒状の内部空間に包装対象物を収容したとき、断面四隅のコーナー部はそれぞれ奥行き方向にコーナー辺を形成する。また後述の実施例５では、複数のコーナー部を介して平面視四角形断面の縦型周状に連なった幅板５，５及び側板２，２を有し、かつ両周端の開放面が天板構成材１０１，１０２、底板構成材３０１，３０２で面閉塞可能な立方体箱構造からなる函状体としている。この立方体箱構造は、底面及び天面がそれぞれ閉塞されると共に、底板及び天板の各面それぞれに、四方周囲へ連なったコーナー辺を有する。
【００２０】
そしていずれの実施例においても、函断面形状のうち向かい合う少なくとも一組以上のコーナー部のそれぞれ、すなわちこれらコーナー辺のうち少なくとも一組以上の向かい合う組のそれぞれに、荷重時の胴膨れを抑止する共通の胴膨れ抑止構造を有するものとしている。なお、胴膨れ防止構造は製函した際の少なくとも対称位置の一対に形成されていれば足りるが、全てのコーナー部が前記のような態様になっていてもよい。また、函状の段ボール包装材の函断面形状、すなわち製函した際の鉛直方向の断面は四角形の他、六角形、八角形、その他の偶数角形としてもよい。
【００２１】
各胴膨れ防止構造は、製函した際のコーナー部の一面側に３本の押罫線を有すると共に、コーナー部の他面側に、前記３本の押罫線の各間に位置する２本の押罫線を有する。より具体的には、各コーナー部の胴膨れ抑止構造は、
・段ボールシートの一面側に、中芯１１の段目と交差する三本の押罫（第一押罫６１，第二押罫６２，第一押罫６１）が並走形成され、これによって他面側の各対応位置に三本の山折れ部（第一山折れ部７１，第二山折れ部７２）が膨出形成されると共に、
・段ボールシートの他面側に、前記三本の押罫６１，６２の間を並走する互いに平行な二本の押罫（第三押罫６３）が形成され、これによって一面側の各対応位置に二本の山折れ部（第三山折れ部７３）が膨出形成される。
【００２２】
上記胴膨れ抑止構造は、前記一面側を函内面として内屈曲させ、前記他面側を函外面として外屈曲させたコーナー部として函状形成してもよく、或いは前記他面側を函内面として内屈曲させ、前記一面側を函外面として外屈曲させたコーナー部として函状形成してもよい。後述の実施例においては、前記一面側を函内面として内屈曲させ、前記他面側を函外面として外屈曲させたコーナー部としている。
【００２３】
従来の段ボール包装材の押罫線は一面側に１本のみ形成されていたのに対し、この発明では中芯の段目と交差する押罫線が形成されると共に、製函した際の他面側のコーナー部は３本の押罫線を有し、一面側のコーナー部は前記他面側の押罫線の間に２本の押罫線を有するようにしたので、鉛直方向に荷重が掛かった際に新たに増えた押罫線でも折れが発生し、新たな押罫線も水平方向に変位して段ボール包装材の側板自体の変形を吸収することが出来る。このとき、胴膨れ防止構造の各押罫線の変形に伴い、側板は鉛直の直線状を維持したままでコーナー部が僅かに外方に変位するか、或いは僅かに平行四辺形状に変位して側板の変形外力を吸収した状態となる。
【００２４】
そして、すべての押罫及びこの押罫によって他面側に膨出形成されたすべての山折れ部の構成材は、１回以上の罫押しによって段ボールシートの平坦部のシート厚さＴ０よりも薄い第一シート厚さＴ１，第二シート厚さＴ２に圧縮成形される。また複数本の押罫からなる押罫列のうち中央列寄りの押罫の構成材は、外列寄りの押罫よりも多い複数回の罫押しによって、外列寄りの構成材のシート厚さＴ１よりも薄い第二シート厚さＴ２に圧縮成形される。より具体的に言えば、前記一面側の三本の押罫（第一押罫６１，第二押罫６２，第一押罫６１）のうち外列寄りの第一押罫６１、及び第一押罫６１によって他面側に膨出形成された第一山折れ部７１の構成材は、１回の罫押しによって段ボールシートの平坦部の平坦シート厚さＴ０よりも薄い第一シート厚さＴ１に圧縮成形されてなる。また前記一面側の三本の押罫（第一押罫６１，第二押罫６２，第一押罫６１）のうち中央列寄りの第二押罫６２、及び第二押罫６２によって他面側に膨出形成された第二山折れ部７２の構成材は、複数回の罫押しによって前記第一シート厚さＴ１よりも薄い第二シート厚さＴ２に圧縮成形されてなる。
【００２５】
このように罫押しの回数によって押罫構成材のシート厚さＴ１，Ｔ２が可変するように構成すると、罫押し回数の多い構成材は重ね罫によって凹みが生じることとなり、屈曲方向の剛性が比較的小さくなる。コーナー部の中央寄り部分と外寄り部分とで屈曲剛性を変えることで、上面に積載された場合の被荷重を分散させてコーナー部全体の形状保持性を保ち、かつ複数の押罫によって側板への荷重負担を軽減することができる。
【００２６】
また本発明のいずれの実施例の段ボール包装材の製造方法においても、
段ボールシート（Ｓ１，Ｓ２）に押罫（罫線）を形成する罫線手段とこの罫線手段に対向する受け手段とからなる押罫形成手段を少なくとも２セット用意し、これら２セットを各々用いて、搬送される段ボールシート（Ｓ１，Ｓ２）の所定位置を順に挟みこむことで、複数の押罫形成工程となる第一工程、第二工程を経ることを特徴とする。
例えば押罫形成手段における罫線手段として、押罫形成位置に対応する鍔状の凸部２０が外周のロール面に沿って形成された罫線ロールを用いると共に、押罫形成手段における受け手段として、前記中央凸部２０に対応した中央凹部２２が外周のロール面にそって形成された罫線ロールを用いることができる。これら罫線ロールと受けロールとは、周端の一部同士が近接してそれぞれロール回転可能に設置され、近接部分に段ボールシートを挟み込んでロール回転と共に段ボールシートを搬送する。これにより、罫線ロールの中央凸部に押圧されて中芯の段目に交差して一面側の押罫線が１本形成されると共に、押圧部により前記押罫線の両側に他面側の押罫線が２本形成される。
【００２７】
なお、押罫形成手段の罫線手段ないし受け手段は、必ずしも円板状の回転ロールに限られず、平面板ないし湾曲面板に押圧凸部ないし受け面を形成したプレス式の罫線板等、代替の罫線形成手段を用いてもよい。以下、各実施例の構成につき詳述する。
【実施例１】
【００２８】
実施例１の段ボールシート（Ｓ１，Ｓ２）は、表ライナー１０と裏ライナー１０との間に波状の中芯１１（波板）を有する。この波板によって形成される山部の伸長方向すなわち稜線の方向を段目（波目）としたとき、この実施形態の胴膨れ抑止構造を有する段ボール包装材は、中芯１１の段目と交差して曲げ形成された複数のコーナー部によって周方向に製函される。具体的には実施例１の函状体は、図１に示すように、複数のコーナー部を介して正面視四角形断面の横型周状に連なった天板１、側板２，２、及び底板３を有し、かつ両周端が両側方に開放したスリーブ構造からなる函状体としている。このスリーブ構造は奥行き方向に伸長する筒状体であり、両側方（前後方向）の開放口から包装対象物を収容してその上下面及び両側面を周状に包装する。筒状の内部空間に包装対象物を収容したとき、断面四隅のコーナー部はそれぞれ奥行き方向にコーナー辺を形成する。
【００２９】
そして実施例１では、胴膨れ抑止構造が、製函した際の対称位置の二対の対称位置、すなわち４箇所全てのコーナー部の全長（コーナー辺全体）に亘って形成される。各胴膨れ防止構造は、製函した際のコーナー部の内面側に３本の押罫線（第一押罫６１，第二押罫６２，第一押罫６１）を有すると共に、コーナー部外面側に、前記３本の押罫線（第一押罫６１，第二押罫６２，第一押罫６１）の各間に位置する２本の押罫線（第三押罫６３，６３）を有する。
【００３０】
詳細には、製函した際の一面側のコーナー部は、図６ａに示す段ボールシートの一面側に、中芯１１の段目と交差する三本の押罫（第一押罫６１，第二押罫６２，第一押罫６１）が並走形成され、これによって図６ｃに示す他面側の各対応位置に三本の山折れ部（第一山折れ部７１，第二山折れ部７２）が膨出形成される。
また、段ボールシートの他面側（図６ｃ）に、前記三本の押罫６１，６２の間を並走する互いに平行な二本の押罫（第三押罫６３）が形成され、これによって一面側（図６ａ）の各対応位置に二本の山折れ部（第三山折れ部７３）が膨出形成される（図６ｂ参照）。
【００３１】
そして上記胴膨れ抑止構造は、前記一面側を函内面として内屈曲させ、前記他面側を函外面として外屈曲させたコーナー部として函状形成している（図１）。このとき２つの第一山折れ部７１は、コーナー部の函状外面の各外寄り部にてそれぞれ段ボールシートの平坦部よりもやや外方に膨らむ。また、２つの第一山折れ部７１，７１の間に、第二山折れ部７２が第一山折れ部７１，７１よりも外方へ突出して配される。第一山折れ部７１に対応する第一押罫６１は、コーナー部の函状内面の各外寄り部にてそれぞれ段ボールシートの平坦面よりもやや下方（奥側）へ窪む。また、２つの第一山折れ部７１，７１の間に、第二山折れ部７２が第一山折れ部７１，７１よりも深く窪んでなる。またコーナー部の函状内面には２つの第三山折れ部７３がコーナー部の函状内側（中央側）へ突出形成される。胴膨れ防止構造は、３本の内側窪み（第一押罫及び第二押罫）と各窪み間の２本の外面窪み（第三押罫）とが、全体として各コーナー部を斜めに横断するように配され、被荷重時にこの横断形状が変形することで、函状体の側板への外荷重を軽減するものとなっている。
【００３２】
これにより、鉛直方向に荷重が掛かった際に新たに増えた押罫（６１，６２，６３）でも折れが発生し、新たな押罫（６１，６２，６３）も水平方向に変位して段ボール包装材の側板自体の変形を吸収することができ、段ボール包装材を縦方向に積層しても従来より胴膨れ現象が起こり難いという利点を有する。具体的には、図２に示すように、前記押罫（６１，６２，６３）の変形に伴い、僅かに平行四辺形状に変位して側板の変形を吸収し胴膨れは発生しなかった。
【００３３】
ここで、従来の構造のものとこの実施形態の構造のものとで性能を比較した。具体的には、段ボール包装材を図１のテスト形状として、上にベニヤ板を敷き、その上に１７１ｋｇの錘を乗せた。この錘の重量は、１０段積み（９段×（製品１８ｋｇ＋梱包１ｋｇ）＝１７１ｋｇ）を想定したものである。そして、この状態で恒温恒湿室（２３℃、５０％ＲＨ）に４日間放置し、それぞれ胴膨れ量を測定した。すると、従来構造では３ｍｍの胴膨れ現象が発生したのに対し、この実施形態のものでは１ｍｍしか胴膨れ現象は発生しなかった。
【００３４】
（実施例１の段ボール包装材の製造方法）
次に、実施例１の胴膨れ抑止構造を有する段ボール包装材の製造方法を説明する。図２（ａ）（ｂ）にそれぞれ示すように、実施例１の胴膨れ抑止構造は、以下第一工程（図２（ａ））、第二工程（図２（ｂ））の２工程を順に経ることによって形成される。
【００３５】
（第一工程）
第一工程は、図２（ａ）及び図３に示すように、鍔状の中央凸部２０が凸状形成された罫線手段１８たる第一罫線ロール１８Ａと、前記中央凸部２０に対応する中央凹部２２が凹状形成された凹受け手段１９たる第一凹受けロールと、を組み合わせた第一の押罫形成手段によって平坦な段ボールシートを挟み込む工程である。
本工程によって、図４ａ〜図４ｄに示す第一工程後の段ボールシートＳ１が形成される。図４ｃに示す第一工程後の段ボールシートＳ１の一面側には、段目に交差する中央の初期押罫６０及びその両側の２本の第一山折れ部７１，７１が形成される。また図４ａに示す第一工程後の段ボールシートＳ１の他面側には、初期押罫６０及び２本の第一山折れ部７１，７１にそれぞれ対応する初期山折れ部７０及び２本の第一押罫６１，６１が形成される。段目は図４ａ、図４ｃの向かって縦方向に形成され、向かって縦方向に中芯のコルゲート空間が伸長する（図４ｄ参照）。このコルゲート空間は展開状態の第一工程後の段ボールシートＳ１の側面図（図４ｂ）と同様に、胴膨れ防止構造の形成部分が押し罫されて薄くかつ湾曲して形成される。
【００３６】
第一工程後の段ボールシートＳ１において、胴膨れ防止構造の各形成部分は、中央の初期山折れ部７０が外寄りの２本の第一押罫６１の間にて、平坦部よりも突出して形成される（図２（ａ）のシート下面）。またこのとき、凹受け手段１９の凹部２０を構成する凹部側片２２Ｓを、シート平坦面（図２（ａ）の下面）内へ深く押し当てることで、一面側（図２のシート下面側）へ２本の第一押罫６１を形成すると共にその逆の他面側（図２のシート上面側）へ第一押罫６１に対応する第一山折れ部７１を形成することを特徴とする。この第一山折れ部７１は、罫線手段１８たる第一罫線ロール１８Ａの中央凸部２０の片側面とその外側に連なる片側の押圧部２１とによって、シート平坦部よりもわずかに膨らんだ凸湾曲面を有した形状に成形される。
【００３７】
（第二工程）
第二工程は、図２（ｂ）及び図５に示すように、前記初期山折れ部７０に対向接触する鍔状の中央凸部２０が凸状形成された罫線手段１８たる第二罫線ロール１８Ｂと、前記罫線手段１８に対応する平坦部が形成された平受け手段２３たる第二受けロール２３Ｂと、を組み合わせた第二の押罫形成手段によって、前記第一工程後の段ボールシート（Ｓ１）を挟み込む工程である。本工程はすなわち、罫線手段１８の中央凸部２０によって前記初期山折れ部７０を窪ませて左右に２分割する工程である。
【００３８】
本工程によって、第二工程後の段ボールシートＳ２が形成される（図２（ｂ）、図６ａ、図６ｂ、図６ｃ、及び図６ｄ）。第二工程後の段ボールシートＳ２は、第一工程後の段ボールシート（Ｓ１）の他面側のうち２本の第一押罫６１，６１の間に、中央の第二押罫６２及びその両側部の第三山折れ部７３，７３が形成される（図２（ｂ）及び図６ａ）。また第二工程後の段ボールシートＳ２は、第一工程後の段ボールシートＳ１の一面側のうち２本の第一山折れ部７１の間に、前記第二押罫６２及び第三山折れ部７３にそれぞれ対応する、中央の第二山折れ部７２及びその両側部の第三押罫６３，６３が形成される（図２（ｂ）及び図６ｃ）。
【００３９】
段目は図６ａ、図６ｃの向かって縦方向に形成され、向かって縦方向に中芯のコルゲート空間が伸長する（図６ｄ参照）。このコルゲート空間は展開状態の第二工程後の段ボールシートＳ２の側面図（図６ｂ）と同様に、胴膨れ防止構造の形成部分が押し罫されて薄くかつ湾曲して形成される。
【００４０】
第二工程後の段ボールシートＳ２において、胴膨れ防止構造の各形成部分は、第二罫線ロール１８Ｂの中央凸部２０によって、中央の初期山折れ部７０が両側部を残して中央部のみ潰されることで、中央部が窪んだ第二押罫となると共に、第二罫線ロール１８Ｂの中央凸部２０の片側面とその外側に連なる片側の押圧部２１とによって、前記初期山折れ部７０の片側部ずつがそれぞれ部分的に残って、第三山折れ部７３が凸湾曲面を有した形状に成形される（図２（ｂ）のシート下面、及び図５）。
【００４１】
またこのとき、平坦な受け面を有する平受けロール２３Ｂ（平受け手段２３）がシートの他面側（図２及び図５のそれぞれシート上面側）へ均等に押し当たることで、第一押罫６１に対応する２本の第一山折れ部７１と、その中央に位置する１本の第二山折れ部７２とが、それぞれシート平坦部よりも膨らんで列設される。また中央の第二山折れ部７２は第一工程と第二工程によって同位置に逆方向へ重ね罫が施された状態となる。この重ね罫によって、中央の第二山折れ部７２の構成材は、他の箇所よりも比較的大きな凹みを有し、かつ他の箇所よりも薄い第二シート厚さＴ２に圧縮成形される。また第二山折れ部７２の両側部にそれぞれ形成される第一山折れ部７１の構成材は、第二山折れ部７２よりも小さいわずかな凹みを有し、かつ第二シート厚さＴ２よりも厚い第一シート厚さＴ１にて、第二山折れ部７２の構成材よりもコシを有して成形される。
【００４２】
第二工程後の段ボールシートＳ２は、展開状態にて、一面側（図２（ｂ）下面）にシート平坦面よりも窪んだ３本の押罫６１，６２が形成されると共に、他面側（図２（ｂ）上面）にシート平坦面よりも膨らんだ３本の山折れ部６１，６２が形成される。また３本の山折れ部６１，６２の間に位置する他面側（図２（ｂ）上面）の押し罫は、両側部近傍が２工程で片側ずつ罫押しされることによってその間に形成された谷部であり、凸罫の押し成形によらずに形成されている。
【実施例２】
【００４３】
（実施例２の段ボール包装材の製造方法）
図７に、実施例２の段ボール包装材の製造方法を説明する。実施例２の段ボール包装材は図７（ａ）（ｂ）にそれぞれ示すように、実施例１と異なる押し罫形成手段を用いた以下第一工程（図７（ａ））、第二工程（図７（ｂ））の２工程を順に経ることによって形成される。
【００４４】
（第一工程）
第一工程は、図７（ａ）に示すように
・鍔状の中央凸部２０が中央に凸状形成されると共にその両側部にそれぞれ側凹部２５を有し、全体として２連凹部が形成された罫線手段たる第四罫線ロール２４と、
・前記中央凸部２０に対応する中央凹部２２が凹状形成されると共にその両側部にて前記側凹部２５に対応する側凸部６１が形成され、全体として２連凸部が形成された凹受け手段１９たる第四凹受けロールと、を組み合わせた第四の押罫形成手段によって平坦な段ボールシートを挟み込む工程である。
本工程によって、図７（ａ）に示す第一工程後の段ボールシートＳ１が形成される。第一工程後の段ボールシートＳ１の他面側（図７の上面側）には、段目に交差する中央の初期押罫６０及びその両側の２本の第一山折れ部７１，７１が形成される。また図７（ａ）に示す第一工程後の段ボールシートＳ１の他面側（図７の下面側）には、初期押罫６０及び２本の第一山折れ部７１，７１にそれぞれ対応するように、初期山折れ部７０及び２本の第一押罫６１，６１が形成される。段目は図７の向かって左右側方を通るように形成され、同方向に沿って中芯のコルゲート空間が伸長する。このコルゲート空間は展開状態の第一工程後の段ボールシートＳ１の側面図（図７（ａ））と同様に、胴膨れ防止構造の形成部分が押し罫されて薄くかつ湾曲して形成される。
【００４５】
第一工程後の段ボールシートＳ１において、胴膨れ防止構造の各形成部分は、中央の初期山折れ部７０が外寄りの２本の第一押罫６１の間にて、平坦部よりも突出しないように形成される（図７（ａ）のシート下面）。またこのとき、凹受け手段１９の側凸部６１を、シート平坦厚さよりも深く押し当てることで、一面側（図７のシート下面側）へ２本の第一押罫６１をシートの平坦部の他面よりも深く形成すると共に、その逆の他面側（図７のシート上面側）へ第一山折れ部７１を、平坦シートよりも高位置となるように成形することを特徴とする。この第一山折れ部７１は、第四罫線ロール２４の側凹部２５と凹受け手段１９の側凸部６１とに深く挟まれて、シート平坦面よりも上方へ膨らみかつ薄いシート厚さとされた凸湾曲面を有した構造材に成形される（図７（ａ））。
【００４６】
（第二工程）
第二工程は、図７（ｂ）に示すように、
・前記初期山折れ部７０に対向接触する鍔状の中央凸部２０が凸状形成された罫線手段１８と、
・前記罫線手段１８に対向する幅広の平坦部が形成された平受け手段２３と、を組み合わせた第二の押罫形成手段によって、前記第一工程後の段ボールシート（Ｓ１）を挟み込む工程である。本工程はすなわち、罫線手段１８の中央凸部２０によって、第一工程によってできた初期山折れ部７０を窪ませて左右に２分割する工程である。
【００４７】
本工程によって、第二工程後の段ボールシートＳ２が形成される（図７（ｂ））。第二工程後の段ボールシートＳ２は、第一工程後の段ボールシート（Ｓ１）の一面側（図７の下面側）のうち２本の第一押罫６１，６１の間に、中央の第二押罫６２及びその両側部の第三山折れ部７３，７３が形成される。
また第二工程後の段ボールシートＳ２は、第一工程後の段ボールシートＳ１の一面側のうち２本の第一山折れ部７１の間に、前記第二押罫６２及び第三山折れ部７３にそれぞれ対応する、中央の第二山折れ部７２及びその両側部の第三押罫６３，６３が形成される（図７（ｂ））。
【００４８】
段目は図７の向かって左右側方を通るように形成され、同方向に沿って中芯のコルゲート空間が伸長する。このコルゲート空間は展開状態の第一工程後の段ボールシートＳ１の側面図（図７（ａ））と同様に、胴膨れ防止構造の形成部分が押し罫されて薄くかつ湾曲して形成される。
【００４９】
第二工程後の段ボールシートＳ２において、胴膨れ防止構造の各形成部分は、第二罫線ロール１８Ｂの中央凸部２０によって、中央の初期山折れ部７０が両側部を残して中央部のみ潰されることで、中央部が窪んだ第二押罫となると共に、罫線手段１８の中央凸部２０の片側面とその外側に連なる片側の押圧部２１とによって、前記初期山折れ部７０の片側部ずつがそれぞれ部分的に残って、第三山折れ部７３が凸湾曲面を有した形状に成形される（図７（ｂ）のシート下面）。
【００５０】
またこのとき、平坦な受け面を有する平受けロール２３Ｂ（平受け手段２３）がシートの他面側（図７のシート上面側）へ均等に押し当たることで、第一押罫６１に対応する２本の第一山折れ部７１と、その中央に位置する１本の第二山折れ部７２とが、それぞれシート平坦部よりも膨らんで列設される。また中央の第二山折れ部７２は第一工程と第二工程によって同位置に逆方向へ重ね罫が施された状態となる。この重ね罫によって、中央の第二山折れ部７２の構成材は、他の箇所よりも比較的大きな凹みを有し、かつ他の箇所よりも薄い第二シート厚さＴ２に圧縮成形される。また第二山折れ部７２の両側部にそれぞれ形成される第一山折れ部７１の構成材は、第二山折れ部７２よりも小さいわずかな凹みを有し、かつ第二シート厚さＴ２よりも厚い第一シート厚さＴ１にて、第二山折れ部７２の構成材よりもコシを有して成形される。
【００５１】
第二工程後の段ボールシートＳ２は、展開状態にて、一面側（図７（ｂ）下面）にシート平坦面よりも窪んだ３本の押罫６１，６２が形成されると共に、他面側（図７（ｂ）上面）にシート平坦面よりも膨らんだ３本の山折れ部６１，６２が形成される。また３本の山折れ部６１，６２の間に位置する他面側（図７（ｂ）上面）の押し罫は、両側部近傍が２工程で片側ずつ罫押しされることによってその間に形成された谷部であり、凸罫の押し成形によらずに形成されている。
【００５２】
実施例２の製造方法によれば、第一工程において２本の罫線ロール（並行クリーザー部（罫ローラー））によって他面側に２本、一面側に１本押罫線を形成し、続く第二工程において他面側に３本、一面側に２本のしっかりとした押罫線を形成することが出来ると共に、第一工程において罫線割れを抑制することが出来る。 実施例２は実施例１と異なる他の押罫形成手段によっても胴膨れ防止構造が形成できることを示しているが、特に実施例２によれば、側凹部２５とこれに対応する側凸部とで挟み込むことによって、第一山折れ部７１を確実な所定深さ、所定形状で成形できるという利点がある。その他特記しない他の構成及び製造装置の構成、製造工程、並びに段ボール包装材の構造は、実施例１と同様である。
【実施例３】
【００５３】
（実施例３の段ボール包装材の製造方法）
図９に、実施例３の段ボール包装材の製造方法を説明する。実施例３の段ボール包装材は図９（ａ）（ｂ）にそれぞれ示すように、実施例１と異なる押し罫形成手段を用いた以下第一工程（図９（ａ））、第二工程（図９（ｂ））の２工程を順に経ることによって形成される。
【００５４】
（第一工程）
第一工程は、図９（ａ）に示すように、
・中央凸部が凸状形成された罫線手段１８たる第一罫線ロール１８Ａと、
・前記中央凸部２０に対応する中央凹部２２が凹状形成されると共にその両側部にて前記側凹部２５に対応する側凸部６１が形成され、全体として２連凸部が形成された凹受け手段１９と、を組み合わせた第一の押罫形成手段によって、平坦な段ボールシートを挟み込む工程である。
本工程によって、図９（ａ）に示す第一工程後の段ボールシートＳ１が形成される。第一工程後の段ボールシートＳ１の一面側（図９の下面側）には、中央の初期押罫６０、及びその両側の２本の第一山折れ部７１が形成される。また、段ボールシートの他面側（図９のシート上面側）には、前記初期押罫６０及び第一山折れ部７１にそれぞれ対応する、中央の初期山折れ部７０及び２本の第一押罫６１が形成される。
【００５５】
段目は図９の向かって左右側方を通るように形成され、同方向に沿って中芯のコルゲート空間が伸長する。このコルゲート空間は展開状態の第一工程後の段ボールシートＳ１の側面図（図９（ａ））と同様に、胴膨れ防止構造の形成部分が押し罫されて薄くかつ湾曲して形成される。
【００５６】
第一工程後の段ボールシートＳ１において、胴膨れ防止構造の各形成部分は、中央の初期山折れ部７０が外寄りの２本の第一押罫６１の間にて、平坦部よりも大きく突出しないように形成される（図９（ａ）のシート上面）。またこのとき、凹受け手段１９の側片６１を、シート平坦厚さよりも深く押し当てることで、一面側（図９のシート下面側）へ２本の第一押罫６１をシートの平坦部の他面よりも深く形成すると共に、その逆の他面側（図９のシート上面側）へ第一山折れ部７１を、平坦シートよりも高位置となるように成形することを特徴とする。この第一山折れ部７１は、第四罫線ロール２４の側凹部２５と凹受け手段１９の側凸部６１とに深く挟まれて、シート平坦面よりも上方へ膨らみかつ薄いシート厚さとされた凸湾曲面を有した構造材に成形される。
【００５７】
（第二工程）
第二工程は、図９（ｂ）に示すように、第一工程と同様の押罫形成手段、すなわち
・中央凸部が凸状形成された罫線手段１８たる第一罫線ロール１８Ａと、
・前記中央凸部２０に対応する中央凹部２２が凹状形成されると共にその両側部にて前記側凹部２５に対応する側凸部６１が形成され、全体として２連凸部が形成された凹受け手段１９と、を組み合わせた第二の押罫形成手段とによって、前記第一工程後の段ボールシートを挟み込む工程である。
【００５８】
ここで、第二の押罫形成手段は、第二凹受けロール１９Ｂの中央凹部２２のうち一側方の凹部側片２２２Ｓを、前記第一の押罫形成手段の第一凹受けロール１９Ａの中央凹部２２のうち他側方の凹部側片２２１Ｓと重畳する位置に重畳配置させたことを特徴とする（図８、図９及び各図の仮想線参照）。
本工程はすなわち、罫線手段１８の中央凸部２０によって、第一工程によってできた片側の第一押罫６１と重なる同位置部分に重ね罫を施しつつ、側方へ半罫幅分だけ開けてずらした同形状の押し罫を行って、結果的に側方へ連なる２連の罫を形成する工程である。このとき、第一工程における一側方の第一押罫は、第二工程の他側方片側の第二押し罫として同位置で二重に罫押しされる。
【００５９】
本工程によって、第二工程後の段ボールシートＳ２が形成される（図９（ｂ））。第二工程後の段ボールシートＳ２は、段ボールシートの一面側（図９のシート下面側）であって片側の第一山折れ部よりも外側方へ、第二押罫６２、及びさらにその外側方の１本の外部第二山折れ部７０２が形成されると共に、
段ボールシートの他面側（図９のシート上面側）であって前記片側の第一山折れ部７１よりも外側方へ、第二押罫６２及び外部第二山折れ部７０２にそれぞれ対応する、第二山折れ部７２及び更にその外側方の１本の外部第二押罫７０２が形成される。
【００６０】
段目は図９の向かって左右側方を通るように形成され、同方向に沿って中芯のコルゲート空間が伸長する。このコルゲート空間は展開状態の第一工程後の段ボールシートＳ１の側面図（図９（ａ））と同様に、胴膨れ防止構造の形成部分が押し罫されて薄くかつ湾曲して形成される。
【００６１】
第二工程後の段ボールシートＳ２において、胴膨れ防止構造の各形成部分のうち中央の第二山折れ部７２は第一工程と第二工程によって同位置に同方向へ重ね罫が施された状態となる。この重ね罫によって、中央の第二山折れ部７２の構成材ＳＷは、他の箇所よりも比較的大きな凹みを有し、かつ他の箇所よりも薄い第二シート厚さＴ２に圧縮成形される。また第二山折れ部７２の両側部にそれぞれ形成される第一山折れ部７１の構成材は、第二山折れ部７２よりも小さいわずかな凹みを有し、かつ第二シート厚さＴ２よりも厚い第一シート厚さＴ１にて、第二山折れ部７２の構成材よりもコシを有して成形される。
【００６２】
このように構成すると、コルゲート罫の第一工程とコルゲート罫の第二工程とで、受ロールの片山同士を重ねた位置で重畳罫押しし、２罫押しで２山形成することができ、中央は二重に重ね罫されるので凹みが生じることとなり、これによって他面側に３本、一面側に２本のしっかりとした押罫（６１，６２，６３）を形成することが出来た。 
【００６３】
第二工程後の段ボールシートＳ２は、展開状態にて、一面側（図９（ｂ）下面）にシート平坦面よりも窪んだ３本の押罫６１，６２が形成されると共に、他面側（図９（ｂ）上面）にシート平坦面よりも膨らんだ３本の山折れ部６１，６２が形成される。また３本の山折れ部６１，６２の間に位置する他面側（図９（ｂ）上面）の押し罫は、側凸部６１と押圧部とに挟まれて押し罫成形によって形成されているため、所定深さお呼び所定形状の確実な成形が可能となる、という利点がある。また半罫幅だけずらして部分的に重畳する位置にずらして重ね罫することで、罫の連続形成によるライナーの割れを防ぐことができる、という利点がある。
本実施例においては、図８に示すように、第一工程、第二工程を共にコルゲート工程で連続的に行うことで、各工程分のコルゲートローラーの位置設定を送り幅に対して厳密に設定することができ、段ボール包装材を確実に成形できるものとなる。なお、前記第一工程及び第二工程を共に印刷工程で連続的に行うようにしてもよい。その他特記しない他の構成及び製造装置の構成、製造工程、並びに段ボール包装材の構造は、実施例１と同様である。
【実施例４】
【００６４】
図１０に示す実施例４の段ボール包装材は、実施例１と同様のスリーブ構造の函状体において、製函した際の一対の対称位置のコーナー部（図１０の向かって左上コーナーと右下コーナーの２箇所）にのみ前記胴膨れ防止構造の押罫（６１，６２，６３）を形成し、製函した際の残りの一対の対称位置のコーナー部（図１０の向かって右上コーナーと左下コーナーの２箇所）には、内面側の角部に１本だけの初期押罫（６０）を形成した。この構造であっても、鉛直方向に荷重が掛かった際に、胴膨れ防止構造の各押罫（６１，６２，６３）による各山折れ部（７１，７２，７３）がそれぞれ変形及び変位することで、段ボール包装材の側板自体の変形を吸収することができ、段ボール包装材を縦方向に積層しても従来より胴膨れ現象が起こり難いという利点を有していた。その他特記しない他の構成及び製造装置の構成、製造工程、並びに段ボール包装材の構造は、実施例１と同様である。
【実施例５】
【００６５】
実施例５の段ボール包装材の成形後の段ボールシート（Ｓ２）は、図１１（ａ）に示す平面視展開構造と、図１１（ｂ）に示す正面視展開構造を有する。まず図１１（ａ）に示す展開状態の平面視では、矩形の幅板５及び側板２が側方へ交互に連接され、連接した先の側板２の先側端辺に継ぎ代４が形成される。また幅板５の上辺及び下辺にはそれぞれ天板構成材１０１及び底板構成材３０１が延設され、側板２の上辺及び下辺にはそれぞれ天板構成材１０２及び底板構成材３０２が延設される。これにより、図１１（ａ）に示す展開状態では天板構成材１０１、１０２が、それぞれスロット（隙間）を開けて交互に側方に並び、また底板構成材３０１、３０２が、それぞれスロット（隙間）を開けて交互に側方に並ぶ。そして前記側方へ連設された幅板５及び側板２のすべての上下各辺に沿って、実施例１と同様の胴膨れ防止構造が形成される。
【００６６】
次に図１１（ｂ）に示す展開状態の正面視では、表ライナー１０と裏ライナー１０との間に波状の中芯１１（波板）が表れる。また、展開状態の段ボールシートＳ２の一面側（図１１（ｂ）のシート上面側）に第三山折れ部７３が表れ、他面側（図１１（ｂ）のシート下面側）に第一山折れ部７１及び第二山折れ部７２が表れる。段目は図１１（ａ）における側板２、幅板５の向かって縦方向に形成され、向かって縦方向に中芯のコルゲート空間が伸長する（図１１（ｂ）参照）。
この段ボールシート（Ｓ２）を製函して得られる函状体は、複数のコーナー部を介して平面視四角形断面の縦型周状に連なった幅板５，５及び側板２，２を有し、かつ両周端の開放面が天板構成材１０１，１０２、底板構成材３０１，３０２で面閉塞可能な立方体箱構造からなる。この立方体箱構造は、底面及び天面がそれぞれ、四枚の構成材（１０１と１０２、又は３０１と３０２）を組み合わせて閉塞されると共に、底板及び天板の各面それぞれに、四方周囲へ連なったコーナー辺を有した函状体となる。
【００６７】
そして実施例５においても、函断面形状のうち向かい合う２組のコーナー部のそれぞれ、すなわち複数のコーナー部のうち天板１と側板２，２との境界に位置するコーナー部、天板１と幅面板（５，５）との境界に位置するコーナー部、底板３と側板２，２との境界に位置するコーナー部、底板３と幅面板（５，５）との境界に位置するコーナー部、にそれぞれ、前記実施例１と同様の胴膨れ抑止構造を有するものとしている。つまり実施例５の胴膨れ防止構造を構成する各押罫（６１，６２）は、幅板５によって前後面が閉じられた立方体箱構造の全ての上下辺で、胴膨れ抑止構造の複数の押罫が四方に連なって伸長している。これにより、実施例１のようなスリーブ構造の函状体」よりも強固な段ボール包装材を形成することができる。
なお、胴膨れ防止構造は製函した際の少なくとも対称位置の一対に形成されていれるものでもよい。また、函状の段ボール包装材の函断面形状、すなわち製函した際の鉛直方向の断面は四角形の他、六角形、八角形、その他の偶数角形としてもよい。その他特記しない他の構成及び製造装置の構成、製造工程、並びに段ボール包装材の構造は、実施例１と同様である。
【００６８】
（各実施例による作用効果）
段ボール包装材製造上において、一般的な木型による罫線の入れ方では、狭い間隔での３本の平行な押罫線は紙が引っ張りあって十分な圧力での罫線は入らないが、前記のように構成すると、第一工程では他面側に２本、一面側に１本押罫線を形成し、続く第二工程において他面側に３本、一面側に２本のしっかりとした押罫線を形成することが出来る。
【００６９】
胴膨れ抑止構造を有する段ボール包装材の製造方法として、段ボールシート（Ｓ１，Ｓ２）に罫線を形成する罫線ロール１８とこの罫線ロール１８に対向する受ロール19を用い、前記罫線ロール１８は外周部に罫線中心位置に対応する中央凸部２０が周方向に沿って形成されると共に、この中央凸部２０の両側に押圧部21が周方向に沿って形成され、搬送される段ボールシート（Ｓ１，Ｓ２）に対して罫線ロール１８と突起対応中央凹部２２を有する受ロール19とで挟むことで、罫線ロール１８の中央凸部２０により中芯１１の段目に交差して一面側の初期押罫６０が１本形成されると共に、押圧部21により前記初期押罫６０の両側に他面側の第一押罫６１が２本形成される第一工程と、前記初期押罫６０の裏側の初期山折れ部７０を、中央凸部２０が周方向に沿って形成された罫線ロール１８と平滑状の受けロール２３とで挟むことで、新しい押罫（６１，６２，６３）を前記山折れ部の両側に形成する第二工程とを有するようにした。
【００７０】
段ボール包装材製造上において、一般的な木型による罫線の入れ方では、狭い間隔での３本の平行な押罫（６１，６２，６３）は紙が引っ張りあって十分な圧力での罫線は入らないが、前記のように構成すると、第一工程では他面側に２本、一面側に１本押罫（６１，６２，６３）を形成し、続く第二工程において他面側に３本、一面側に２本のしっかりとした押罫（６１，６２，６３）を形成することが出来た。
【００７１】
また、前記第一工程をコルゲート工程で行い、前記第二工程を印刷工程で行うようにすると、段ボールシート（Ｓ１，Ｓ２）製造工程で通常入れることが出来るコルゲート罫線と、函に仕上げる工程での印刷機罫線を組み合わせることによって、既存の装置を利用しつつ、十分な圧力で３本の押罫（６１，６２，６３）を入れることが出来るという利点を有する。すなわち、コルゲート製造工程で入れる罫線が雄雌罫であることに着目し、中央に入れるオス罫の前後に裏面から入れるメス罫２本を順折り罫線として用い、印刷工程ではシートを通常とは逆の裏面通しとして、コルゲート製造工程で入れた中央のオス罫の裏側から印刷機罫線の位置を合わせて胴膨れ抑制効果のある函に仕上げることが出来る。
【００７２】
（胴膨れ抑止構造を有する段ボール包装材の他の製造方法）
前記いずれの実施例においても、第一工程をコルゲート工程で、第二工程を印刷工程でそれぞれ行うようにしてもよい。このように構成すると、段ボールシート（Ｓ１，Ｓ２）製造工程で通常入れることが出来るコルゲート罫線と、函に仕上げる工程での印刷機罫線を組み合わせることによって、既存の装置を利用しつつ、十分な圧力で３本の押罫線を入れることが出来る。
【００７３】
また上記とは別に、第一工程、第二工程を共にコルゲート工程で連続的に行うようにしてもよく、或いは共に印刷工程で連続的に行うようにしてもよい。このように構成すると、段ボールシート（Ｓ１，Ｓ２）を連続的に送り出して製造するコルゲート工程又は印刷工程のそれぞれで、各押罫の深さや各山折り部の高さ、ないし幅方向の位置を厳密に調整することができる。これにより、２工程による段ボールシートの成形をより確実に行うことができる。
すなわち段ボールシート（Ｓ１，Ｓ２）の送り出し高さに対して各工程の罫線ロールを近接させ、各工程の押圧高さの関係を厳密に設定すると、各工程による押罫の深さや山折り部の高さを同期させたり、第二工程による変形量を調整したりすることが容易になる。また、段ボールシート（Ｓ１，Ｓ２）の送り出し位置に対して各工程の罫線ロールを近接させ、各工程の押圧位置の関係を厳密に設定すると、各工程による押罫や山折り部の位置を同期させたり、第二工程による位置のずらし量を調整したりすることが容易になる。
【００７４】
上記ダンボールの胴膨れ防止構造及びその製造方法によれば、新たな押罫線も水平方向に変位して段ボール包装材の側板自体の変形を吸収することが出来るので、段ボール包装材を縦方向に積層しても従来より胴膨れ現象が起こり難い段ボール包装材及びその製造方法を提供することが出来る。 
【産業上の利用可能性】
【００７５】
段ボール包装材を縦方向に積層しても胴膨れ現象が起こり難いことによって、種々の段ボール構造に適用することができる。 
【符号の説明】
【００７６】
１  天板
２  側板
３  底板
４  貼着片
５  幅面板
６  押罫
６０  初期押罫
６１  第一押罫
６２，６０２  第二押罫
６３  第三押罫
７  山折れ部
７０  初期山折れ部
７１  第一山折れ部
７２，７０２  第二山折れ部
７３  第三山折れ部
Ｔ０  平坦部厚さ
Ｔ１  第一厚さ
Ｔ２  第二厚さ
１０  ライナー
１１  中芯
１８  罫線手段（罫線ロール）
１８Ａ  第一罫線ロール，１８Ｂ  第二罫線ロール
１９  凹受け手段（凹受けロール）
１９Ａ  第一凹受けロール，１９Ｂ  第二凹受けロール
２０  中央凸部
２１  押圧部
２２  中央凹部
２２Ｓ  凹部側片
２２１Ｓ  一側方の凹部側片，２２２Ｓ  他側方の凹部側片
２３  平受け手段（平受けロール）
２４  二重凹受け手段（二重凹受けロール）
Ｂ  製函体（製函）
Ｓ１  第一段ボールシート
Ｓ２  第二段ボールシート
ＳＷ  圧縮成形部
【図１】
2015040075.tif 000003
【図２】
2015040075.tif 000004
【図３】
2015040075.tif 000005
【図４ａ】
2015040075.tif 000006
【図４ｂ】
2015040075.tif 000007
【図４ｃ】
2015040075.tif 000008
【図４ｄ】
2015040075.tif 000009
【図５】
2015040075.tif 000010
【図６ａ】
2015040075.tif 000011
【図６ｂ】
2015040075.tif 000012
【図６ｃ】
2015040075.tif 000013
【図６ｄ】
2015040075.tif 000014
【図７】
2015040075.tif 000015
【図８】
2015040075.tif 000016
【図９】
2015040075.tif 000017
【図１０】
2015040075.tif 000018
【図１１】
2015040075.tif 000019